(57)【要約】【課題】ＮＶＨ性能に優れる適正なＨＣＣＩ燃焼が可能な運転領域を広げる。【解決手段】エンジンは気筒１内に還流されるＥＧＲガスの量を調節するＥＧＲ量調節手段２２と気筒１内に燃料を噴射する燃料噴射手段１０と気筒１内にオゾンを供給するオゾン供給手段１１とこれらの手段２２，１０，１１を駆動する制御手段３０とを備える。制御手段３０は中負荷域ではＥＧＲガス供給量およびオゾン供給量を調節することでＨＣＣＩ燃焼の着火時期と燃焼期間とを制御し、高負荷域では気筒１内に供給されたオゾンから生成した活性種が実質的に消失したといえる所定値未満まで上記活性種の気筒１内濃度が低下する前後に燃料を噴射し、上記濃度が所定値以上のときに燃料が噴射される前段噴射の燃料噴射量と所定値未満のときに燃料が噴射される後段噴射の燃料噴射量との割合を調節することでＨＣＣＩ燃焼の着火時期と燃焼期間とを制御する。【選択図】図１
2014025374.tif 000002
【特許請求の範囲】
【請求項１】
幾何学的圧縮比が１４以上に設定された気筒を有するとともに、気筒内に噴射される燃料を空気と混合した後に自着火させるＨＣＣＩ燃焼が可能な圧縮自己着火式エンジンであって、
気筒内に還流される排気ガスであるＥＧＲガスの量を調節するＥＧＲ量調節手段と、
気筒内に燃料を噴射する燃料噴射手段と、
気筒内にオゾンを供給するオゾン供給手段と、
上記ＥＧＲ量調節手段、上記燃料噴射手段および上記オゾン供給手段を駆動して上記気筒内へのＥＧＲガスの供給、燃料の噴射およびオゾンの供給を制御する制御手段とを備え、
上記制御手段は、
エンジン負荷が所定の第１基準負荷未満且つ第１基準負荷より低負荷側の所定の第２基準負荷以上の第１領域では、ＥＧＲガス供給量およびオゾン供給量を調節することにより、ＨＣＣＩ燃焼の着火時期と燃焼期間とを制御し、
エンジン負荷が上記第１基準負荷以上の第２領域では、気筒内に供給されたオゾンから生成した活性種が実質的に消失したといえる所定値未満まで上記活性種の気筒内濃度が低下する前後に燃料を噴射し、上記濃度が所定値以上のときに燃料が噴射される前段噴射の燃料噴射量と所定値未満のときに燃料が噴射される後段噴射の燃料噴射量との割合を調節することにより、ＨＣＣＩ燃焼の着火時期と燃焼期間とを制御するものである、
ことを特徴とする圧縮自己着火式エンジン。
【請求項２】
請求項１に記載の圧縮自己着火式エンジンにおいて、
上記制御手段は、
エンジン回転速度が高いほど混合気の着火時期が早くなり、且つエンジン負荷が高いほど混合気の燃焼期間が長くなるように、上記第１領域ではＥＧＲガス供給量およびオゾン供給量を調節し、上記第２領域では前段噴射の燃料噴射量と後段噴射の燃料噴射量との割合を調節するものである、
ことを特徴とする圧縮自己着火式エンジン。
【請求項３】
請求項１または２に記載の圧縮自己着火式エンジンにおいて、
空気過剰率が、上記第１領域では２．２以上３以下であり、上記第２領域では１である、
ことを特徴とする圧縮自己着火式エンジン。
【請求項４】
請求項１から３のいずれか１項に記載の圧縮自己着火式エンジンにおいて、
上記制御手段は、
上記第２領域では、エンジン負荷が高いほど燃料噴射量の総量に占める後段噴射の燃料噴射量の比率を増大するものである、
ことを特徴とする圧縮自己着火式エンジン。
【請求項５】
請求項１から４のいずれか１項に記載の圧縮自己着火式エンジンにおいて、
上記制御手段は、
エンジン負荷が上記第２基準負荷未満の第３領域では、高回転域およびアイドル域でオゾン供給量を増加するものである、
ことを特徴とする圧縮自己着火式エンジン。
【発明の詳細な説明】
【技術分野】
【０００１】
本発明は、幾何学的圧縮比が１４以上に設定された気筒を有するとともに、気筒内に噴射される燃料を空気と混合した後に自着火させるＨＣＣＩ燃焼が可能な圧縮自己着火式エンジンに関する。
【背景技術】
【０００２】
エンジンの燃焼形式として、一般に、予混合燃焼と拡散燃焼の２種類がよく知られている。予混合燃焼とは、燃料と空気とを予め混合して得た混合気（予混合気）を火花点火により燃焼させる燃焼形式であり、ガソリンを燃料として用いるガソリンエンジンに代表的に採用されている。拡散燃焼とは、圧縮された高温・高圧の空気に燃料を供給することで燃料と空気とを拡散、混合しながら燃焼させる燃焼形式であり、軽油を燃料として用いるディーゼルエンジンに代表的に採用されている。
【０００３】
これに対し、近年、予混合燃焼でも拡散燃焼でもない新しい燃焼形式として、予混合圧縮着火燃焼を実用化する研究が進められている。予混合圧縮着火燃焼とは、燃料と空気とを予め混合して得た混合気（予混合気）を、火花点火ではなく圧縮によって自着火させる燃焼形式である。以下では、このような予混合圧縮着火燃焼のことを、ＨＣＣＩ燃焼（Homogeneous-Charge Compression Ignition Combustion）と称する。
【０００４】
ＨＣＣＩ燃焼は、エンジンの気筒内で混合気が同時多発的に燃焼する形態であるため、火花点火を用いた従来の予混合燃焼と比べて、空燃比リーンな条件でも燃焼期間を短くでき、熱効率に優れた安定した燃焼が得られるといった利点がある。その反面、ノッキングも失火も起こさない適正な燃焼を成立させるための条件の範囲が狭く、このことが、ＨＣＣＩ燃焼を車載用エンジンに適用することを困難にしていた。
【０００５】
このような問題に取り組んだ従来技術として、例えば下記特許文献１が知られている。この特許文献１に開示されたエンジンは、気筒内にプラズマを放出可能な放電部を備えており、この放電部への印加電圧および印加時間が制御されることで、プラズマによる投入エネルギーがエンジンの運転状態に応じて制御されるようになっている。
【先行技術文献】
【特許文献】
【０００６】
【特許文献１】特開２００７−３０９１６０号公報
【発明の概要】
【発明が解決しようとする課題】
【０００７】
上記特許文献１の技術によれば、プラズマによる投入エネルギーに基づいて、ラジカル（活性種）を含む活性化された混合気の分布が制御されるので、従来よりも幅広い運転領域で適正なＨＣＣＩ燃焼を行わせることができると考えられる。具体的に、同文献では、エンジン回転速度が高いかまたはエンジン負荷が低い場合に、プラズマによる投入エネルギーを相対的に増やすようにしている。すなわち、エンジン回転速度が高いかまたはエンジン負荷が低いと、混合気の着火性が低下することから、それを混合気の活性化によって補うことにより、ＨＣＣＩ燃焼が可能な運転領域を拡大しようというものである。
【０００８】
ところで、ＨＣＣＩ燃焼は、混合気を火花点火によって強制的に燃焼させるのではなく、混合気を高温・高圧の環境下で自着火させて燃焼させる形態であるため、着火時期を正確に制御することが燃費等の観点から重要である。さらに、ＨＣＣＩ燃焼は、混合気が気筒内で同時多発的に燃焼する形態であるため、燃焼速度（すなわち燃焼期間）を正確に制御することが騒音やエミッション等の観点から重要である。具体的に、着火時期は、燃費の良いＴＤＣ近傍に制御し、燃焼速度は、急激な圧力上昇（ｄＰ／ｄθ）が起こらないように制御することが望ましい。
【０００９】
しかしながら、負荷が高くなると、自着火後の燃焼速度が過度に速くなって筒内圧力が急激に上昇し、大きな振動や騒音がエンジンで発生するおそれがある。このような燃焼騒音の発生は、ＮＶＨ（noise, vibration, harshness）の低下につながり、特にエンジンが車載用エンジンである場合、車両の商品性が損なわれてしまう。一方、このような事態を防ごうとすると、ＨＣＣＩ燃焼の運転領域を狭い範囲に絞らざるを得ず、エンジンの熱効率を充分に高めることができなくなってしまう。また、筒内圧力の急激な上昇はエンジンの耐久性を損なう一因にもなる。
【００１０】
本発明は、上記のような事情に鑑みてなされたものであり、燃料を空気と混合した後に自着火させる圧縮自己着火式エンジンにおいて、振動や騒音の少ないＨＣＣＩ燃焼をより幅広い運転領域で実現することにより、高い熱効率と優れたＮＶＨ性能とを両立させて、適正なＨＣＣＩ燃焼が可能なエンジンの運転領域を広げることを目的とする。
【課題を解決するための手段】
【００１１】
上記課題を解決するためのものとして、本発明は、幾何学的圧縮比が１４以上に設定された気筒を有するとともに、気筒内に噴射される燃料を空気と混合した後に自着火させるＨＣＣＩ燃焼が可能な圧縮自己着火式エンジンであって、気筒内に還流される排気ガスであるＥＧＲガスの量を調節するＥＧＲ量調節手段と、気筒内に燃料を噴射する燃料噴射手段と、気筒内にオゾンを供給するオゾン供給手段と、上記ＥＧＲ量調節手段、上記燃料噴射手段および上記オゾン供給手段を駆動して上記気筒内へのＥＧＲガスの供給、燃料の噴射およびオゾンの供給を制御する制御手段とを備え、上記制御手段は、エンジン負荷が所定の第１基準負荷未満且つ第１基準負荷より低負荷側の所定の第２基準負荷以上の第１領域では、ＥＧＲガス供給量およびオゾン供給量を調節することにより、ＨＣＣＩ燃焼の着火時期と燃焼期間とを制御し、エンジン負荷が上記第１基準負荷以上の第２領域では、気筒内に供給されたオゾンから生成した活性種が実質的に消失したといえる所定値未満まで上記活性種の気筒内濃度が低下する前後に燃料を噴射し、上記濃度が所定値以上のときに燃料が噴射される前段噴射の燃料噴射量と所定値未満のときに燃料が噴射される後段噴射の燃料噴射量との割合を調節することにより、ＨＣＣＩ燃焼の着火時期と燃焼期間とを制御するものであることを特徴とする（請求項１）。
【００１２】
本発明では、中負荷域の第１領域では、ＥＧＲガス供給量およびオゾン供給量を調節することにより、高負荷域の第２領域では、オゾンから生成した活性種の気筒内濃度が所定値以上のときに燃料が噴射される前段噴射の燃料噴射量と所定値未満のときに燃料が噴射される後段噴射の燃料噴射量との割合を調節することにより、いずれも、混合気の着火時期と燃焼期間との両方を変化させることができるので、より高い自由度でＨＣＣＩ燃焼を制御することができる。そのため、大きな振動や騒音を伴わない適正なＨＣＣＩ燃焼が可能な運転領域を大幅に拡大することができ、エンジンの熱効率を効果的に向上させることができる。すなわち、本発明では、中負荷域の第１領域ではＥＧＲガスを用いることにより、高負荷域の第２領域では燃料噴射を制御することにより、それぞれＨＣＣＩ燃焼を緩慢化して、優れたＮＶＨ性能を確保している。
【００１３】
なお、上記活性種は、上記前段噴射の燃料の低温酸化反応により消費されるので、これにより、上記活性種の気筒内濃度が所定値以上の状態から所定値未満の状態に自然に移行する。また、本発明において、「活性種が実質的に消失した」とは、活性種が存在しない状態だけでなく、存在していても、着火限界温度が低下するほどには燃料を活性化させることができない量しか存在していない状態を含んでいる。
【００１４】
本発明において、好ましくは、上記制御手段は、エンジン回転速度が高いほど混合気の着火時期が早くなり、且つエンジン負荷が高いほど混合気の燃焼期間が長くなるように、上記第１領域ではＥＧＲガス供給量およびオゾン供給量を調節し、上記第２領域では前段噴射の燃料噴射量と後段噴射の燃料噴射量との割合を調節するものである（請求項２）。
【００１５】
この構成によれば、エンジン回転速度が高いほど混合気の着火時期が早められるので、膨張行程時のピストンの下降速度が速くなる高回転域で、失火が起きるのを確実に防止することができる。また、エンジン負荷が高いほど混合気の燃焼期間が長くされるので、大きな燃焼エネルギーが短期間で発生することを回避でき、燃焼に伴う振動や騒音のレベルを効果的に低減することができる。
【００１６】
本発明において、好ましくは、空気過剰率が、上記第１領域では２．２以上３以下であり、上記第２領域では１である（請求項３）。
【００１７】
この構成によれば、第１領域ではＮＯｘの生成が抑えられることにより、第２領域では三元触媒で排気ガスが浄化されることにより、いずれもＮＯｘの排出が良好に抑制される。
【００１８】
本発明において、好ましくは、上記制御手段は、上記第２領域では、エンジン負荷が高いほど燃料噴射量の総量に占める後段噴射の燃料噴射量の比率を増大するものである（請求項４）。
【００１９】
この構成によれば、他の領域に比べて燃料噴射量が多い第２領域において、高負荷域で燃料噴射量が増加するときは、上記活性種と反応せずに着火性に劣る燃料の比率が増大するから、燃焼がより緩慢となり、たとえ燃料噴射量が増加しても、過度な圧力上昇が抑制される。
【００２０】
本発明において、好ましくは、上記制御手段は、エンジン負荷が上記第２基準負荷未満の第３領域では、高回転域およびアイドル域でオゾン供給量を増加するものである（請求項５）。
【００２１】
この構成によれば、低負荷域の第３領域では、低温酸化反応を促進する作用のあるオゾンの供給量を高回転域あるいはアイドル域で増やすことで、３つの領域のうち燃料噴射量が最も少ない第３領域において、高回転域での受熱時間不足ないし反応時間不足に伴う着火性の低下ひいては失火、およびアイドル域での筒内温度低下に伴う着火性の低下ひいては失火が抑制される。
【発明の効果】
【００２２】
以上説明したように、本発明によれば、燃料を空気と混合した後に自着火させる圧縮自己着火式エンジンにおいて、燃焼の緩慢化により、振動や騒音の少ないＨＣＣＩ燃焼をより幅広い運転領域で実現することができ、高い熱効率と優れたＮＶＨ性能とを両立させることができる。
【図面の簡単な説明】
【００２３】
【図１】本発明の一実施形態にかかるエンジンの全体構成を示す図である。
【図２】ＨＣＣＩ燃焼の進行と活性種の消費との関係を模式的に示す図である。
【図３】オゾンおよびＥＧＲガスの供給量が混合気の着火時期および燃焼期間にどのように影響するかを模式的に示す図である。
【図４】上記エンジンの運転領域を示すマップ図である。
【図５】燃料噴射を活性種の存在下で行う前段噴射と活性種の消失後に行う後段噴射とを連続して行った場合のＨＣＣＩ燃焼の進行を示す図である。
【図６】上記エンジンのＥＣＵが行う処理の手順を示すフローチャートである。
【発明を実施するための形態】
【００２４】
以下、本発明の実施形態を通して本発明をさらに詳しく説明する。
【００２５】
（１）エンジンの全体構成
図１は、本発明の一実施形態にかかるエンジンの全体構成を示す図である。本図に示されるエンジンは、燃料を空気と混合した後に自着火させるＨＣＣＩ燃焼が可能な圧縮自己着火式エンジンであり、走行用の動力源として車両に搭載されている。このエンジンは、内部に気筒１が形成されたシリンダブロック２と、シリンダブロック２の上面に設けられたシリンダヘッド３と、シリンダブロック２の気筒１に往復摺動可能に挿入されたピストン４とを有している。
【００２６】
上記ピストン４は、エンジンの出力軸であるクランク軸７とコネクティングロッド６を介して連結されている。ピストン４の上方には燃焼室が区画形成されており、この燃焼室で行われる燃焼（後述するインジェクタ１０から噴射される燃料のＨＣＣＩ燃焼）のエネルギーにより、上記ピストン４が気筒１内で往復運動（上下運動）するとともに、これに伴い上記クランク軸７が中心軸回りに回転するようになっている。
【００２７】
上記シリンダブロック２には、上記クランク軸７の回転速度をエンジンの回転速度として検出するエンジン速度センサＳＷ１と、シリンダブロック２内に設けられた図略のウォータージャケット内を流通する冷却水の温度（エンジン水温）を検出するエンジン水温センサＳＷ３とが設けられている。
【００２８】
上記シリンダヘッド３には、気筒１内に燃料を噴射するためのインジェクタ１０が設けられている。インジェクタ１０は、その先端部がピストン４の上面を臨むように設けられており、図外の燃料供給管から供給される燃料を先端部から噴射することにより、気筒１内に燃料を噴射する。すなわち、インジェクタ１０は、本発明にかかる燃料噴射手段として機能するものである。なお、インジェクタ１０から噴射される燃料は、ＨＣＣＩ燃焼が可能な燃料であればその種類を問わないが、当実施形態では、ガソリンもしくはガソリンを主成分とする燃料（例えばガソリンにエタノールを添加したもの）や軽油等が好ましく用いられる。
【００２９】
上記エンジンの出力トルクは、車両に設けられたアクセルペダル２５によって制御される。すなわち、このアクセルペダル２５の開度（踏み込み量）に応じて、上記インジェクタ１０からの燃料の噴射量が調節され、それによってエンジンの出力トルクが制御される。また、アクセルペダル２５には、その開度（アクセル開度）を検出するためのアクセル開度センサＳＷ２が設けられている。
【００３０】
上記シリンダヘッド３には、吸気ポート１２および排気ポート１３と、各ポート１２，１３を開閉する吸気弁１４および排気弁１５とが設けられている。吸気弁１４および排気弁１５は、シリンダヘッド３に配設された一対のカムシャフト等を含む動弁機構（図示省略）により、クランク軸７の回転に連動して開閉駆動される。
【００３１】
上記吸気ポート１２には、気筒１内に吸入空気（新気）を導入するための吸気通路１８が接続されており、上記排気ポート１３には、気筒１で生成された排気ガス（燃焼ガス）を外部に排出するための排気通路１９が接続されている。
【００３２】
上記吸気通路１８には、吸気通路１８を通過する空気の流量、つまり吸入空気量を検出するためのエアフローセンサＳＷ４が設けられている。また、吸気通路１８の入口部付近のエンジンルーム内には、外気温を検出するための外気温センサＳＷ５が設けられている。
【００３３】
ここで、当実施形態のエンジンでは、ＨＣＣＩ燃焼を実現するために、気筒１の幾何学的圧縮比が１４以上３０以下という高い値に設定されている。なお、幾何学的圧縮比とは、ピストン４が下死点にあるときの燃焼室容積と、ピストン４が上死点にあるときの燃焼室容積との比である。
【００３４】
また、ＨＣＣＩ燃焼が行われる当実施形態のエンジンは、次のような燃焼サイクルによって運転される。まず、吸気行程において、吸気弁１４が開かれて、上記吸気通路１８からの吸入空気が吸気ポート１２を通じて気筒１の内部（燃焼室）に導入される。次いで、圧縮行程において、インジェクタ１０から燃料が噴射されて、噴射された燃料が気筒１内の空気と混合されて混合気が形成されるとともに、この混合気がピストン４の上昇によって圧縮され、高温・高圧化する。すると、高温・高圧化した混合気が自着火により燃焼し始め（ＨＣＣＩ燃焼）、続く膨張行程において、その燃焼による膨張エネルギーがピストン４に作用してピストン４が押し下げられる。次いで、排気行程において、ピストン４が上昇に転じるとともに、排気弁１５が開かれて、上記燃焼により生成された排気ガスが排気ポート１３および排気通路１９を通じて外部に排出される。排気行程の後は、再び吸気行程に戻ることにより、吸気、圧縮、膨張、排気の各行程が繰り返される。
【００３５】
上記シリンダヘッド３には、気筒１内にプラズマを放出するプラズマリアクタ１１が設けられている。具体的に、このプラズマリアクタ１１は、気筒１内にプラズマを放出することにより、気筒１内の分子やイオンを化学的に反応し易いラジカル（活性種）に変化させるとともに、オゾン（Ｏ３）を発生させる。すなわち、プラズマリアクタ１１は、本発明にかかるオゾン供給手段として機能するものである。なお、プラズマリアクタ１１は、オゾン生成のためのプラズマを放出できるものであればその種類を問わないが、例えば、針状の中心電極と、これを包囲する周囲電極とを有し、両電極の間に極短パルス状または高周波の高電界を印加することが可能なものがプラズマリアクタ１１として用いられる。
【００３６】
上記吸気通路１８と排気通路１９とは、ＥＧＲ通路２０を介して互いに連結されている。ＥＧＲ通路２０は、気筒１から排出された排気ガスの一部を気筒１に還流する操作、つまりＥＧＲ（Exhaust Gas Recirculation）を行うための通路である。すなわち、このＥＧＲの実行時、排気通路１９を通過する排気ガスの一部は、ＥＧＲ通路２０を通じて吸気通路１８に戻され、吸気通路１８を通る空気とともに気筒１内へと導入される。なお、以下では、ＥＧＲ通路２０を通じて気筒１内に還流される排気ガスのことを、ＥＧＲガスという。
【００３７】
上記ＥＧＲ通路２０には、エンジンの冷却水等を利用した熱交換によってＥＧＲガスを冷却するＥＧＲクーラ２１と、ＥＧＲ通路２０の通路面積を変更するための開閉可能なＥＧＲ弁２２とが設けられている。ＥＧＲ弁２２は、その設定開度に応じてＥＧＲガスの量を調節することが可能であり、本発明にかかるＥＧＲ量調節手段として機能するものである。
【００３８】
以上のように構成されたエンジンは、その各部がＥＣＵ（エンジン制御ユニット）３０により統括的に制御される。ＥＣＵ３０は、周知のとおり、ＣＰＵ、ＲＯＭ、ＲＡＭ等から構成されるマイクロプロセッサであり、本発明にかかる制御手段として機能するものである。
【００３９】
上記ＥＣＵ３０は、上記エンジン速度センサＳＷ１、アクセル開度センサＳＷ２、エンジン水温センサＳＷ３、エアフローセンサＳＷ４、および外気温センサＳＷ５と電気的に接続されており、これら各センサからの入力信号に基づいて、エンジンの回転速度、アクセル開度（要求トルク）、エンジン水温、吸入空気量、および外気温といった種々の情報を取得する。
【００４０】
また、上記ＥＣＵ３０は、上記インジェクタ１０、プラズマリアクタ１１、およびＥＧＲ弁２２と電気的に接続されており、上記各センサから取得した種々の情報に基づく演算等を実行しながら、上記各機器１０，１１，２２にそれぞれ駆動用の制御信号を出力する。これにより、ＥＣＵ３０は、インジェクタ１０からの燃料の噴射量および噴射時期、プラズマリアクタ１１からのオゾンの供給量および供給時期、並びにＥＧＲ弁２２の開度（つまり気筒１内へのＥＧＲガスの供給量）等を、各時点でのエンジンの運転状態に応じた適切な値になるようにそれぞれ制御する。
【００４１】
（２）オゾン供給およびＥＧＲガス供給の意義
まず、上記プラズマリアクタ１１を用いてオゾンを供給する意義について説明する。プラズマリアクタ１１によるオゾンの供給は、主に、ＨＣＣＩ燃焼の開始時期、つまり、ピストン４により圧縮された混合気が自着火するタイミング（着火時期）を調節するために行われる。オゾンの供給によって混合気の着火時期を調節できる理由は、次のとおりである。
【００４２】
ＨＣＣＩ燃焼は、冷炎反応、青炎反応、熱炎反応、ＣＯの酸化反応という４段階の燃焼を経て完結することが知られている。ただし、青炎反応からＣＯの酸化反応へと至る３段階は、一連のまとまった燃焼として観察されるのが一般的である。このため、当明細書では、青炎反応からＣＯの酸化反応へと至る主燃焼の部分を「高温酸化反応」といい、その前の冷炎反応の部分を「低温酸化反応」という。なお、混合気の着火時期とは、「高温酸化反応」の開始時期を指している。
【００４３】
吸気行程や圧縮行程の途中等にオゾンを気筒１内に供給すると、供給されたオゾンは、圧縮行程が進行して気筒１内が所定温度（例えば５００〜６００Ｋ程度）まで上昇した時点で分解され、活性種の１種である酸素ラジカル（Ｏラジカル）を生成する。酸素ラジカルは強力な酸化力を有するので、この酸素ラジカルが存在することにより、通常であれば低温酸化反応が起きないような温度条件でも、燃料成分が酸化されて、低温酸化反応が生じる。低温酸化反応が一旦起きると、それによって気筒１内が高温化するので、その後の高温酸化反応も促進される。
【００４４】
このように、オゾンの供給は、低温酸化反応を活発にするので、結果として、高温酸化反応を早める作用をもたらす。したがって、オゾンの供給量を調節することで、混合気の着火時期（高温酸化反応の開始時期）を制御することが可能になる。
【００４５】
オゾンを供給した場合と供給しなかった場合とで混合気の着火遅れ時間がどのように異なるかを、燃料はガソリン、当量比は０．３、圧力は６．４ＭＰａ、オゾン濃度は６ｐｐｍの条件で調べた結果、オゾンの存在下で燃料を噴射した場合は、オゾンがない状態で燃料を噴射した場合よりも、常に混合気の着火遅れ時間が短くなることが分かった。つまり、オゾンを供給した場合は、オゾンを供給しなかった場合に比べて、燃料の着火性が良くなり、混合気の着火時期が早まることが分かった。
【００４６】
図２は、ＨＣＣＩ燃焼の進行と活性種（気筒１内に供給されたオゾンから生成した酸素ラジカル）の消費との関係を模式的に示す図である。横軸はクランク角（ｄｅｇ）であり、縦軸は熱発生率（Ｊ／ｄｅｇ）および気筒１内の酸素ラジカル濃度（ｐｐｍ）である。図２に示す燃焼波形には、熱発生率が大きく立ち上がる主燃焼部分である高温酸化反応が生じるよりも手前の時期に、熱発生率がわずかに立ち上がる冷炎反応部分である低温酸化反応が生じている。ここで、オゾンを供給した場合は、オゾンを供給しなかった場合に比べて、より早い時期で低温酸化反応が起きる。このことが、その後の高温酸化反応を促進し、高温酸化反応の開始時期、つまり混合気の着火時期を早める役割を果たす。
【００４７】
上述のように、オゾンの供給が混合気の着火時期に影響することが分かったが、混合気の燃焼期間、つまり高温酸化反応の開始から終了までの期間については、オゾンを供給する場合と供給しない場合とで、それほど大きく変化しない。オゾンから生成した酸素ラジカルは、低温酸化反応を促進してその開始タイミングを早めるが、図２に示すように、低温酸化反応の開始後は、低温酸化反応により消費され、短期間で消失してしまうので、高温酸化反応が始まる時点では、酸素ラジカルはほとんど存在していない。このため、高温酸化反応の進行速度に酸素ラジカルが影響することはなく、高温酸化反応の期間はさほど変化しないと考えられる。すなわち、オゾンは、低温酸化反応を促進し、そのことが高温酸化反応の開始時期（着火時期）を早めるものの、高温酸化反応の期間（燃焼期間）には直接影響しない。
【００４８】
次に、上記のようなオゾンの供給と対比する形で、ＥＧＲガスの気筒への還流がＨＣＣＩ燃焼に及ぼす影響について説明する。ＥＧＲガスの供給量によってＨＣＣＩ燃焼の態様がどのように変化するかを調べた結果、排気ガスの一部をＥＧＲガスとして気筒内に還流する操作（ＥＧＲ）を行った場合、ＥＧＲガスの供給量が多くなるほど、混合気の着火時期が遅くなるとともに、混合気の燃焼期間（高温酸化反応の開始から終了までの期間）が長くなることが分かった。これは、ＥＧＲガスが増えると、その分だけ酸素濃度が減少することから、酸化反応が起きづらくなり、且つ酸化反応の進行速度が遅くなるためと考えられる。このように、ＥＧＲガスの供給は、混合気の着火時期を遅くさせ、しかも燃焼を緩慢化させる作用をもたらす。
【００４９】
上記の結果から理解できることは、ＥＧＲガスの供給量を調節した場合と、オゾンの供給量を調節した場合とでは、ＨＣＣＩ燃焼への影響の仕方が異なるということである。すなわち、オゾンの供給量を調節した場合には、主に混合気の着火時期だけを変化させることができるが、ＥＧＲガスの供給量を調節した場合には、混合気の着火時期だけでなく混合気の燃焼期間をも変化させてしまう。
【００５０】
このことは、見方を変えれば、オゾンの供給量とＥＧＲガスの供給量との両方を調節することで、混合気の着火時期と燃焼時期とをより高い自由度で制御できることを意味する。図３に、オゾンおよびＥＧＲガスの供給量が混合気の着火時期および燃焼期間にどのように影響するかを模式的に示している。この図３において、横軸は着火時期、縦軸は燃焼期間を表している。
【００５１】
図３の領域Ｓに示すように、ＥＧＲガスの供給量を増加させるほど、着火時期が遅くなるとともに燃焼期間が長くなり、逆に、ＥＧＲガスの供給量を減少させるほど、着火時期が早くなるとともに燃焼期間が短くなる。一方、オゾンの供給量を増加させるほど、着火時期が早くなり、逆に、オゾンの供給量を減少させるほど、着火時間が遅くなる。すなわち、ＥＧＲガスの供給量だけを調節した場合には、着火時期および燃焼期間を１次元的にしか変化させられないのに対し、ＥＧＲガスに加えてオゾンの供給量も調節した場合には、着火時期および燃焼期間を２次元的に変化させることができ、より高い自由度でＨＣＣＩ燃焼を制御することが可能になる。
【００５２】
（３）具体的制御
次に、インジェクタ１０による気筒１内への燃料の噴射量および噴射時期と、プラズマリアクタ１１による気筒１内へのオゾンの供給量および供給時期と、ＥＧＲ弁２２による気筒１内へのＥＧＲガスの供給量とを、エンジンの運転状態に応じてどのように制御するかを具体的に説明する。以下に説明する制御は、上述したＥＣＵ３０の処理に基づき行われる。
【００５３】
図４は、当実施形態にかかるエンジンの運転領域を示すマップ図である。エンジンの運転領域は、所定の第１基準負荷と、この第１基準負荷より低負荷側の所定の第２基準負荷とによって、３つの領域に区画されている。エンジン負荷が第２基準負荷未満の領域はエンジンの最低負荷を含む低負荷域Ａ（本発明にかかる第３領域に相当）、第２基準負荷以上で第１基準負荷未満の領域は中負荷域Ｂ（同じく第１領域に相当）、第１基準負荷以上の領域はエンジンの最高負荷を含む高負荷域Ｃ（同じく第２領域に相当）である。
【００５４】
低負荷域Ａでは、ＮＯｘの生成が抑えられるλ＞３（λは空気過剰率）のリーン運転が行われ、燃料の未燃損が出ない限界の空燃比までリーンで運転される。中負荷域Ｂでは、同じくＮＯｘの生成が抑えられる２．２≦λ≦３のリーン運転が行われる。中負荷域Ｂでは、後述するように、ＥＧＲが実行されるので、Ｇ／Ｆ（空気とＥＧＲガスとを合せたガスの総質量Ｇと燃料の質量Ｆとの比）でいうと３５以上のリーン運転が行われる。高負荷域Ｃでは、λ１運転が行われ、排気通路１９に配設された三元触媒（図示略）によって排気ガスが浄化され、ＮＯｘの排出が抑えられる。
【００５５】
後述するように、気筒１内への燃料噴射量は要求トルクが高いほど増加される。低負荷域Ａおよび中負荷域Ｂでは、気筒１内に導入される空気量に対して気筒１内への燃料噴射量がまだそれほど多くないので、２．２≦λのリーン運転が可能となり、ＮＯｘの生成が抑えられる。一方、高負荷域Ｃでは、気筒１内への燃料噴射量が多くなるので、たとえ気筒１内に最大限に空気を導入しても、空燃比はＮＯｘが生成する空燃比にリッチ化する。そこで、高負荷域Ｃでは、三元触媒による排気ガスの浄化を図るために、気筒１内への空気の導入量を減らして、空燃比をλ＝１（理論空燃比）にするのである。その際の空気量の調節は、例えば、吸気通路１８に配設されたスロットル弁（図示略）による吸入空気量の調節や、ＥＧＲ弁２２によるＥＧＲガスの還流量の調節によって行われる。ただし、最高負荷付近は、トルクを確保するために、気筒１内へのＥＧＲガスの還流が停止される。
【００５６】
当実施形態のエンジンは、上述のように、気筒１の幾何学的圧縮比が１４以上３０以下に設定されている。このような圧縮比では、気筒１内にオゾンを供給しなくても振動や騒音が少なく且つ着火時期が適正なＨＣＣＩ燃焼が実現する運転領域が部分的に存在する。そのため、気筒１内へのオゾン供給は、全運転領域Ａ，Ｂ，Ｃで行ってもよいが、例えば、低負荷域Ａの低〜中回転高負荷側や、中負荷域Ｂの中〜高回転側および低負荷側や、高負荷域Ｃの高回転低〜中負荷側等では、運転条件に応じて行わなくてもよい場合がある。
【００５７】
以下に説明する制御は、以上のようなエンジンについて行われるものであり、ポイントをまとめると次のようになる。低負荷域Ａでは、失火を抑制するためにオゾン供給が行われる。燃料噴射量が少ない低負荷域Ａでオゾンを供給することにより低温燃焼での混合気の着火性が確保される。中負荷域Ｂでは、ＥＧＲガスの還流により燃焼期間を制御してＨＣＣＩ燃焼の緩慢化を図り、併せて、オゾン供給により着火時期を制御して燃焼圧力ピークを圧縮上死点（ＴＤＣ）に近づける。先に、中負荷域ＢではＥＧＲが実行されると説明したが、それはこのようにＨＣＣＩ燃焼を緩慢化させるためのものである。高負荷域Ｃでは、ＥＧＲガスが気筒１内に入らないかまたは入っても少量なので、ＥＧＲガス量を調節してもＨＣＣＩ燃焼はさほど変化しない。そこで、燃料噴射制御とオゾン供給量制御とによりＨＣＣＩ燃焼の緩慢化を図る。具体的には、後述するように、オゾンから生成した酸素ラジカルが存在する状態で燃料を噴射する前段噴射と酸素ラジカルが存在しない状態で燃料を噴射する後段噴射とを行う。これにより、前段噴射された燃料のみが酸素ラジカルで活性化され、残りの後段噴射された燃料は活性化されないので、全体の燃焼が緩慢化する。先に、高負荷域ＣではＥＧＲガスの還流量が調節されると説明したが、それはあくまでも空燃比をλ１に調節するために気筒１内にＥＧＲガスが供給されるものであって、ＨＣＣＩ燃焼の緩慢化のためではない。このように、オゾン供給、ＥＧＲガス供給、燃料噴射制御、空燃比制御を各運転領域Ａ，Ｂ，Ｃで選択して行うことにより、ＨＣＣＩ燃焼が可能な運転領域が拡大し、高い熱効率と優れたＮＶＨ性能とが両立した適正なＨＣＣＩ燃焼が全運転領域Ａ，Ｂ，Ｃで実現する。特に、当実施形態のエンジンは、燃焼騒音の問題がある中負荷域Ｂおよび高負荷域Ｃにおいて、燃焼騒音の問題を解決するためにＨＣＣＩ燃焼を緩慢にし、ＮＶＨ性能の向上を図っており、低負荷域Ａでは燃焼の急激な進行が起こらず、振動や騒音の問題が少ないエンジンである。
【００５８】
そのために、まず、ＥＣＵ３０は、エンジンの運転状態に応じて予め設定された多数の目標熱発生パターンのデータを記憶しており、中負荷域Ｂおよび高負荷域Ｃにおいては、ＨＣＣＩ燃焼がこの目標熱発生パターンに沿った燃焼となるように、インジェクタ１０、プラズマリアクタ１１およびＥＧＲ弁２２を制御する。
【００５９】
目標熱発生パターンは、混合気の着火時期と燃焼期間とを規定するものであり、エンジンの回転速度および負荷に応じて細かく多数の目標熱発生パターンが予め定められている。ここでいう着火時期とは、高温酸化反応の開始時期のことであり、燃焼期間とは、高温酸化反応の期間のことである（図２参照）。
【００６０】
目標熱発生パターンにおいては、着火時期は、エンジン回転速度が高いほど早く（進角側に）、エンジン回転速度が低いほど遅く（遅角側に）設定されており、燃焼期間は、エンジン負荷が高いほど長く（燃焼が緩慢に）、エンジン負荷が低いほど短く（燃焼が迅速に）設定されている。着火時期が高回転側ほど早くされる理由は、回転速度が速いと、膨張行程時にピストン４が素早く下降することから、早めに燃焼を始めないと途中で失火するおそれがあるためである。また、燃焼期間が高負荷側ほど長くされる理由は、負荷が高いと、燃焼により生じるトータルのエネルギーが大きいことから、燃焼を緩慢化しないと急激な圧力上昇（ｄＰ／ｄθ）が起こって大きな振動や騒音が発生するおそれがあるためである。
【００６１】
図５は、オゾンから生成した酸素ラジカルが気筒１内に残存しているときに、気筒１内に供給すべき燃料の一部を前段噴射し、その後、前段噴射された燃料の低温酸化反応により酸素ラジカルが消費されて消失しているときに、残りの燃料を後段噴射した場合のＨＣＣＩ燃焼の進行を示す図である。横軸はクランク角（ｄｅｇ）であり、縦軸は熱発生率（Ｊ／ｄｅｇ）および気筒１内の化学種濃度（ｐｐｍ）である。
【００６２】
酸素ラジカルの存在下で気筒１内に前段噴射された燃料は、上述のように、酸素ラジカルとの反応により活性化され、通常であれば低温酸化反応が起きないような温度条件でも低温酸化反応が起き、その後の高温酸化反応が促進されて、着火限界温度が低下する。その結果、前段噴射された燃料は、筒内温度がまだ相対的に低い段階（例えば９００Ｋ程度）で自着火して燃焼する（この前段噴射の燃料の燃焼波形を図５に破線アで示す）。
【００６３】
一方、酸素ラジカルの消失後に気筒１内に後段噴射された燃料は、酸素ラジカルとの反応が起こらず、着火限界温度が低下しない。その結果、後段噴射された燃料は、筒内温度が相対的に高くなった段階（例えば１０００Ｋ程度）で自着火して燃焼する（この後段噴射の燃料の燃焼波形を図５に鎖線イで示す）。より詳しくは、前段噴射された燃料の燃焼により筒内温度が上昇したことによって、後段噴射された燃料が着火燃焼する。
【００６４】
以上の結果として、気筒１内に供給された燃料は二段階に分かれて着火燃焼することになり、一度に燃料の全量が自着火して燃焼する場合に比べて、燃焼期間が長くなり、全体の燃焼（前段噴射の燃料の燃焼と後段噴射の燃料の燃焼との合計：全体の燃焼波形を図５に実線で示す）が緩慢になる。これは、例えばガソリンと軽油のように複数種類の異なる性状の燃料を混合したマルチフューエルを気筒１内に噴射した場合に得られる作用と同様の作用である。そのため、急激な圧力上昇が抑制され、大きな燃焼エネルギーが短期間で発生することを回避でき、燃焼に伴う振動や騒音のレベルを効果的に低減することができる。これにより、燃焼騒音の発生によるＮＶＨ（noise, vibration, harshness）の低下が抑制され、大きな振動や騒音を伴わない適正なＨＣＣＩ燃焼が可能な運転領域を大幅に拡大することができ、エンジンの熱効率を効果的に向上させることができる。
【００６５】
要すれば、酸素ラジカル雰囲気により低温酸化が活発になった低温着火可能燃料、すなわち着火性の良い燃料（前段噴射の燃料）と、酸素ラジカルの消失後に噴射された高温着火燃料、すなわち着火性の悪い燃料（後段噴射の燃料）とが混在する状態をつくり、両者の着火温度が異なること（例えば１００Ｋ程度異なること）を利用して、燃焼期間の長い緩慢な燃焼の実現を図るのである。
【００６６】
なお、図５は、酸素ラジカルの消失時期の前後に亘って前段噴射と後段噴射とを連続して行う場合を示したが、これに限らず、酸素ラジカルの消失時期を挟んで前段噴射と後段噴射とを所定の時間的間隔を空けて行う（すなわち前段噴射と後段噴射とを分割して行う）ようにしてもよい。
【００６７】
図６は、エンジンの運転中に上記ＥＣＵ３０が行う処理の手順を示すフローチャートである。このフローチャートの処理がスタートすると、ＥＣＵ３０は、各種センサ値を読み込む処理を実行する（ステップＳ１）。具体的には、エンジン速度センサＳＷ１、アクセル開度センサＳＷ２、エンジン水温センサＳＷ３、エアフローセンサＳＷ４、および外気温センサＳＷ５からそれぞれの検出信号を読み込み、これらの信号に基づいて、エンジンの回転速度、要求トルク（負荷）、エンジン水温、吸入空気量、および外気温といった各種情報を取得する。
【００６８】
次いで、ＥＣＵ３０は、上記ステップＳ１で取得した情報に基づいて、エンジンの運転領域を判定する（ステップＳ２）。その結果、エンジンの運転領域が低負荷域Ａにある場合はステップＳ１２，Ｓ１３，Ｓ１６，Ｓ１７を実行し、中負荷域Ｂにある場合はステップＳ２１〜Ｓ２７を実行し、高負荷域Ｃにある場合はステップＳ３２〜Ｓ３７を実行する。以下、相互に類似または共通するステップを含め、各運転領域Ａ，Ｂ，Ｃ毎に制御動作を説明する。
【００６９】
（３−１）低負荷域Ａの制御
３つの領域のうち燃料噴射量が最も少なく、燃焼の急激な進行が起こらず、振動や騒音の問題が少ない低負荷域Ａでは、高回転域およびアイドル域でオゾン供給量が増加するように、プラズマリアクタ１１が駆動される。
【００７０】
まず、ＥＣＵ３０は、上記ステップＳ１で取得した情報から特定される要求トルクと回転数とに基づいて、インジェクタ１０から噴射すべき燃料の量、および燃料噴射を開始すべき時期を決定する処理を実行する（ステップＳ１３）。具体的に、このステップＳ１３では、エンジンの負荷が高いほど、インジェクタ１０からの噴射目標値が大きく設定され（つまり目標噴射量が増加され）、エンジンの回転速度が高いほど、インジェクタ１０からの目標噴射時期（燃料噴射を開始すべき時期）が早く設定される。なお、目標噴射時期は、圧縮行程中の所定のクランク角範囲内において設定される。
【００７１】
次いで、ＥＣＵ３０は、プラズマリアクタ１１からのプラズマ放出によってどの程度の量のオゾンを供給すべきかを決定する処理を実行する（ステップＳ１６）。具体的に、このステップＳ１６では、高回転域でオゾン供給量が多く設定され、また、アイドル域でもオゾン供給量が多く設定される。つまり、３つの領域のうち燃料噴射量が最も少ない低負荷域Ａ中の高回転域およびアイドル域において、低温酸化反応を促進する作用のあるオゾンの供給量を増やすことで、高回転域での受熱時間不足ないし反応時間不足に伴う着火性の低下ひいては失火の抑制、およびアイドル域での筒内温度低下に伴う着火性の低下ひいては失火の抑制が図られる。
【００７２】
次いで、ＥＣＵ３０は、上記ステップＳ１６で決定した供給量に従ってオゾンが気筒１内に供給されるようにプラズマリアクタ１１を駆動するとともに、上記ステップＳ１３で決定した噴射量および噴射時期に従って燃料が噴射されるようにインジェクタ１０を駆動する処理を実行する（ステップＳ１７）。オゾンの供給量は、プラズマリアクタ１１からのプラズマ放出量によって決まるから、ＥＣＵ３０は、プラズマリアクタ１１への印加電圧および印加時間の少なくとも一方を変化させることで、オゾンの供給量を調節する。また、オゾンの供給時期については、低温酸化反応が始まる圧縮行程の後期までに所要量のオゾンが供給されるような時期であればよく、例えば圧縮行程中期等の適宜の時期に設定される。
【００７３】
（３−２）中負荷域Ｂの制御
３つの領域のうち燃料噴射量が低負荷域Ａよりも多く、燃焼騒音の問題がある中負荷域Ｂでは、エンジン回転速度が高いほど混合気の着火時期が早くなり、且つエンジン負荷が高いほど混合気の燃焼期間が長くなるように、ＥＧＲ弁２２およびプラズマリアクタ１１が駆動される（図３参照）。
【００７４】
まず、ＥＣＵ３０は、上記ステップＳ１で取得した情報に基づいて、設定すべきＥＧＲ弁２２の開度を決定し、その開度を目標にＥＧＲ弁２２を駆動する処理を実行する（ステップＳ２１）。具体的に、このステップＳ２１では、エンジンの負荷（アクセル開度に基づく要求トルク）が高いほど、ＥＧＲ弁２２の開度が大きく設定される。これは、目標熱発生パターン、すなわち高温酸化反応の開始時期（着火時期）および反応期間（燃焼期間）の目標値に合わせて、負荷が高いほど燃焼を緩慢化させる必要があるためである。
【００７５】
次いで、ＥＣＵ３０は、上記ステップＳ１で取得した情報から特定される要求トルクと回転数とに基づいて、インジェクタ１０から噴射すべき燃料の量、および燃料噴射を開始すべき時期を決定する処理を実行する（ステップＳ２３）。具体的に、このステップＳ２３では、エンジンの負荷が高いほど、インジェクタ１０からの噴射目標値が大きく設定され、エンジンの回転速度が高いほど、インジェクタ１０からの目標噴射時期が早く設定される。なお、目標噴射時期は、圧縮行程中の所定のクランク角範囲内において設定される。
【００７６】
次いで、ＥＣＵ３０は、目標熱発生パターンのデータ、すなわち高温酸化反応の開始時期（着火時期）および反応期間（燃焼期間）の目標値のデータを参照することにより、現在のエンジンの運転状態（回転速度、負荷）に合った目標熱発生パターンを決定する処理を実行する（ステップＳ２４）。具体的には、上記ステップＳ１で取得したエンジンの回転速度および負荷を、予めエンジンの回転速度および負荷に応じて細かく定められた多数の目標熱発生パターンのデータに当てはめて、現在のエンジンの運転状態に応じた適切な一つのパターンを、目標とすべき目標熱発生パターンとして決定する。
【００７７】
次いで、ＥＣＵ３０は、気筒１内に還流される実際のＥＧＲガスの量（以下、真のＥＧＲ量という）と、圧縮上死点近傍における気筒１内の温度・圧力（筒内ＰＴ）とを推定する処理を実行する（ステップＳ２５）。具体的に、このステップＳ２５では、ＥＧＲ弁２２の開度が増大過程にあるか減少過程にあるか、その開度の増大／減少率はどの程度か、エンジンの回転速度はどの程度かなど、本来期待されるＥＧＲ量（ＥＧＲ弁２２の開度を一定値に保持した場合に得られるＥＧＲ量）と真のＥＧＲ量との差を左右する種々の要素に基づいて、過渡性を考慮した真のＥＧＲ量を推定する演算が行われる。また、その真のＥＧＲ量と、上記ステップＳ１で取得されたエンジン水温、吸入空気量、および外気温とに基づいて、圧縮上死点近傍の筒内温度・圧力、つまり、ピストン４を圧縮上死点近傍の特定時点までモータリングによって上昇させた場合の気筒１内の温度・圧力を推定する演算が行われる。
【００７８】
次いで、ＥＣＵ３０は、プラズマリアクタ１１からのプラズマ放出によってどの程度の量のオゾンを供給すべきかを決定する処理を実行する（ステップＳ２６）。具体的に、このステップＳ２６では、まず、上記ステップＳ２３で決定した燃料の噴射量および噴射時期と、上記ステップＳ２５で推定した真のＥＧＲ量および筒内温度・圧力とに基づいて、仮にオゾンを全く供給しなかった場合に生じる熱発生パターンが推定される。そして、この熱発生パターン（オゾン供給量がゼロの場合の熱発生パターン）と、上記ステップＳ２４で決定した目標熱発生パターンとを比較して、どの程度の量のオゾンを供給すれば上記目標熱発生パターンに最も近い燃焼が得られるかが演算により求められ、その量が目標のオゾン供給量として決定される。なお、このような演算処理を行うために、ＥＣＵ３０には、オゾン供給によるＨＣＣＩ燃焼への影響（例えばオゾン供給量と着火時期の変化との関係等）がデータ化されて記憶されている。
【００７９】
上記ステップＳ２６では、目標熱発生パターンを目指してオゾンの目標供給量が決定される結果、エンジン回転速度が高いほど供給量が多く設定され、逆に回転速度が低いほど供給量が少なく設定される。つまり、高回転側ほど着火時期が早く設定される目標熱発生パターンに従って、オゾンの供給量が高回転側ほど増やされて、低温酸化反応の促進が図られる。
【００８０】
次いで、ＥＣＵ３０は、上記ステップＳ２６で決定した供給量に従ってオゾンが気筒１内に供給されるようにプラズマリアクタ１１を駆動するとともに、上記ステップＳ２３で決定した噴射量および噴射時期に従って燃料が噴射されるようにインジェクタ１０を駆動する処理を実行する（ステップＳ２７）。オゾンの供給量は、プラズマリアクタ１１からのプラズマ放出量によって決まるから、ＥＣＵ３０は、プラズマリアクタ１１への印加電圧および印加時間の少なくとも一方を変化させることで、オゾンの供給量を調節する。また、オゾンの供給時期については、低温酸化反応が始まる圧縮行程の後期までに所要量のオゾンが供給されるような時期であればよく、例えば圧縮行程中期等の適宜の時期に設定される。
【００８１】
（３−３）高負荷域Ｃの制御
３つの領域のうち燃料噴射量が最も多く、燃焼騒音の問題がある高負荷域Ｃでは、気筒１内に供給されたオゾンから生成した酸素ラジカルが気筒１内に残存しているときに燃料が噴射される前段噴射と、前段噴射された燃料の低温酸化反応により酸素ラジカルが消費されて消失しているときに燃料が噴射される後段噴射とが行われるように、インジェクタ１０およびプラズマリアクタ１１が駆動される（図５参照）。
【００８２】
まず、ＥＣＵ３０は、上記ステップＳ１で取得した情報から特定される要求トルクと回転数とに基づいて、インジェクタ１０から噴射すべき燃料の量、および燃料噴射を開始すべき時期を決定する処理を実行する（ステップＳ３３）。具体的に、このステップＳ３３では、エンジンの負荷が高いほど、インジェクタ１０からの噴射目標値（より詳しくは、前段噴射と後段噴射との合計の噴射目標値）が大きく設定され、エンジンの回転速度が高いほど、インジェクタ１０からの目標噴射時期（より詳しくは、前段噴射の目標噴射時期）が早く設定される。なお、目標噴射時期（前段噴射の目標噴射時期）は、酸素ラジカルの生成に合せて設定される。すなわち、気筒１内に供給されたオゾンが分解し、酸素ラジカルが生成している状態で、前段噴射が行われるように、前段噴射の目標噴射時期が設定される。なお、当実施形態では、酸素ラジカルの消失時期の前後に亘って前段噴射と後段噴射とを連続して行う場合を説明する。
【００８３】
次いで、ＥＣＵ３０は、目標熱発生パターンのデータ、すなわち高温酸化反応の開始時期（着火時期）および反応期間（燃焼期間）の目標値のデータを参照することにより、現在のエンジンの運転状態（回転速度、負荷）に合った目標熱発生パターンを決定する処理を実行する（ステップＳ３４）。具体的には、上記ステップＳ１で取得したエンジンの回転速度および負荷を、予めエンジンの回転速度および負荷に応じて細かく定められた多数の目標熱発生パターンのデータに当てはめて、現在のエンジンの運転状態に応じた適切な一つのパターンを、目標とすべき目標熱発生パターンとして決定する。
【００８４】
次いで、ＥＣＵ３０は、圧縮上死点近傍における気筒１内の温度・圧力（筒内ＰＴ）を推定する処理を実行する（ステップＳ３５）。具体的に、このステップＳ３５では、上記ステップＳ１で取得されたエンジン水温、吸入空気量、および外気温に基づいて、圧縮上死点近傍の筒内温度・圧力、つまり、ピストン４を圧縮上死点近傍の特定時点までモータリングによって上昇させた場合の気筒１内の温度・圧力を推定する演算が行われる。
【００８５】
次いで、ＥＣＵ３０は、プラズマリアクタ１１からのプラズマ放出によってどの程度の量のオゾンを供給すべきかを決定する処理を実行する（ステップＳ３６）。具体的に、このステップＳ３６では、まず、上記ステップＳ３３で決定した燃料の噴射量および噴射時期と、上記ステップＳ３５で推定した筒内温度・圧力とに基づいて、仮にオゾンを全く供給しなかった場合に生じる熱発生パターンが推定される。そして、この熱発生パターン（オゾン供給量がゼロの場合の熱発生パターン）と、上記ステップＳ３４で決定した目標熱発生パターンとを比較して、どの程度の量のオゾンを供給すれば上記目標熱発生パターンに最も近い燃焼が得られるかが演算により求められ、その量が目標のオゾン供給量として決定される。なお、このような演算処理を行うために、ＥＣＵ３０には、オゾン供給によるＨＣＣＩ燃焼への影響（例えばオゾン供給量と着火時期の変化との関係等）がデータ化されて記憶されている。
【００８６】
上記ステップＳ３６におけるオゾン供給量の決定動作をさらに詳しく説明する。当実施形態では、オゾン供給量は、燃料噴射量および噴射時期と関連して決定される。
【００８７】
まず、図６のフローチャートには示していないが、図５のクランク角チャートに示すように、オゾンの供給時期に関しては、燃料噴射時期よりも早い所定のクランク角範囲内、例えば吸気行程中や圧縮行程中の所定のクランク角範囲内において別途設定される。より詳しくは、前段噴射の燃料が噴射される時点で酸素ラジカルが気筒１内に存在するようにオゾンが相対的に早い時期に気筒１内に供給される。換言すれば、気筒１内に供給されたオゾンが分解し、酸素ラジカルが生成している状態で、前段噴射が行われるように、オゾンの供給時期が設定される。
【００８８】
オゾンが気筒１内に供給されると、上述のように、ピストン４の圧縮により気筒１内の温度が５００〜６００Ｋ程度に上昇した時点で分解し、オゾンが消失する代わりに活性種の酸素ラジカルが生成する。この酸素ラジカルが存在している状態で燃料が気筒１内に噴射されると、上述のように、噴射された燃料の低温酸化反応が起き、この低温酸化反応に酸素ラジカルが消費されて消失する。この酸素ラジカルの消失時期は、低温酸化反応の開始時の酸素ラジカル濃度が小さいほど早くなる（進角する）。
【００８９】
ここで、燃料噴射時期、より詳しくは、前段噴射の噴射時期は、上述のように、ステップＳ３３で、エンジン回転速度に応じて設定される。また、燃料噴射量、より詳しくは、前段噴射と後段噴射との合計の燃料噴射量もまた、ステップＳ３３で、エンジン負荷に応じて設定される。したがって、これらの燃料噴射時期（前段噴射の開始時期）および燃料噴射量が決まることにより燃料噴射の終了時期（より詳しくは、後段噴射の終了時期）が定まる。
【００９０】
そして、酸素ラジカルの消失時期が上記燃料噴射の開始時期（前段噴射の開始時期）と上記燃料噴射の終了時期（後段噴射の終了時期）との間に到来するように、低温酸化反応開始時における気筒１内の酸素ラジカル濃度を制御する。そのためには、プラズマリアクタ１１によるオゾン供給時の気筒１内のオゾン濃度を制御することになる。
【００９１】
例えば、オゾンの供給量が少なく、気筒１内の酸素ラジカル濃度が不足すると、酸素ラジカルの消失時期が早くなりすぎて、燃料噴射量の総量に占める前段噴射量（前段噴射された燃料の量、つまり前段噴射の燃料噴射量）の比率が過度に小さくなる。その結果、着火性の悪い後段噴射の燃料の比率が過度に大きくなって、失火もしくは未燃損が多くなる。
【００９２】
逆に、オゾンの供給量が多く、気筒１内の酸素ラジカル濃度が過剰になると、酸素ラジカルの消失時期が遅くなりすぎて、燃料噴射量の総量に占める前段噴射量の比率が過度に大きくなる。その結果、着火性の良い低温着火可能燃料の比率が過度に大きくなって、燃焼が緩慢化せず、急激な圧力上昇が起こって、燃焼騒音が発生する。
【００９３】
したがって、上記ステップＳ３６においては、上記ステップＳ３４で決定した目標熱発生パターンに規定されている高温酸化反応の燃焼波形が実現することを目的として、酸素ラジカルが前段噴射の開始時期と後段噴射の終了時期との間の適正な時期に消失するように、オゾン供給量が決定される。
【００９４】
次いで、ＥＣＵ３０は、上記ステップＳ３６で決定した供給量に従ってオゾンが気筒１内に供給されるようにプラズマリアクタ１１を駆動するとともに、上記ステップＳ３３で決定した噴射量および噴射時期に従って燃料が噴射されるようにインジェクタ１０を駆動する処理を実行する（ステップＳ３７）。オゾンの供給量は、プラズマリアクタ１１からのプラズマ放出量によって決まるから、ＥＣＵ３０は、プラズマリアクタ１１への印加電圧および印加時間の少なくとも一方を変化させることで、オゾンの供給量を調節する。
【００９５】
（４）作用等
以上説明したように、当実施形態では、燃料を空気と混合した後に自着火させるＨＣＣＩ燃焼が可能な圧縮自己着火式エンジンにおいて、次のような特徴的な構成を採用した。
【００９６】
エンジンは、気筒１内に還流される排気ガスであるＥＧＲガスの量を調節するＥＧＲ弁２２（ＥＧＲ量調節手段）と、気筒１内に燃料を噴射するインジェクタ１０（燃料噴射手段）と、気筒１内にオゾンを供給するプラズマリアクタ１１（オゾン供給手段）と、ＥＧＲ弁２２、インジェクタ１０およびプラズマリアクタ１１を駆動してＥＧＲガスの供給量と、燃料の噴射量および噴射時期と、オゾンの供給量および供給時期とを制御するＥＣＵ３０（制御手段）とを備える。
【００９７】
ＥＣＵ３０は、エンジン負荷が所定の第１基準負荷未満且つ第１基準負荷より低負荷側の所定の第２基準負荷以上の中負荷域Ｂにおいて、ＥＧＲ弁２２およびプラズマリアクタ１１を駆動して、ＥＧＲガス供給量およびオゾン供給量を調節することにより、ＨＣＣＩ燃焼の着火時期と燃焼期間とを制御する（ステップＳ２１，Ｓ２６〜Ｓ２７）。
【００９８】
また、ＥＣＵ３０は、エンジン負荷が上記第１基準負荷以上の高負荷域Ｃにおいて、インジェクタ１０およびプラズマリアクタ１１を駆動して、気筒１内に供給されたオゾンから生成した酸素ラジカル（活性種）の消失時期の前後に燃料を噴射し、上記消失時期の前（酸素ラジカルの気筒１内濃度がゼロでないとき）に燃料が噴射される前段噴射の燃料噴射量と、上記消失時期の後（酸素ラジカルの気筒１内濃度がゼロのとき）に燃料が噴射される後段噴射の燃料噴射量との割合を調節することにより、ＨＣＣＩ燃焼の着火時期と燃焼期間とを制御する（ステップＳ３６〜Ｓ３７）。
【００９９】
上記実施形態では、中負荷域Ｂでは、ＥＧＲガス供給量およびオゾン供給量を調節することにより、高負荷域Ｃでは、オゾンから生成した酸素ラジカルの気筒１内濃度がゼロでないときに燃料が噴射される前段噴射の燃料噴射量とゼロのときに燃料が噴射される後段噴射の燃料噴射量との割合を調節することにより、いずれも、混合気の着火時期と燃焼期間との両方を変化させることができるので、より高い自由度でＨＣＣＩ燃焼を制御することができる。そのため、大きな振動や騒音を伴わない適正なＨＣＣＩ燃焼が可能な運転領域を大幅に拡大することができ、エンジンの熱効率を効果的に向上させることができる。
【０１００】
上記実施形態では、中負荷域Ｂにおいて、振動や騒音の少ないＨＣＣＩ燃焼をより幅広い運転領域で実現することができ、高い熱効率とＮＶＨ性能とを両立できるという利点がある。すなわち、上記実施形態では、ＥＧＲガスおよびオゾンの供給量の調節によって混合気の着火時期と燃焼期間との両方を変化させることができるので、より高い自由度でＨＣＣＩ燃焼を制御することができる。例えば、混合気の着火時期がエンジン回転速度が高いほど早められるので、膨張行程時のピストン４の下降速度が速くなる高回転域で、失火が起きるのを確実に防止することができる。また、混合気の燃焼期間がエンジン負荷が高いほど長くされるので、大きな燃焼エネルギーが短期間で発生することを回避でき、燃焼に伴う振動や騒音のレベルを効果的に低減することができる。これにより、大きな振動や騒音を伴わない適正なＨＣＣＩ燃焼が可能な運転領域を大幅に拡大することができ、エンジンの熱効率を効果的に向上させることができる。
【０１０１】
また、高負荷域Ｃにおいて、酸素ラジカルの気筒１内濃度がゼロでないときに噴射された燃料（前段噴射の燃料）は、酸素ラジカルとの反応により活性化され、着火限界温度が低下する結果、筒内温度がまだ相対的に低い段階で自着火して燃焼する。図５において、前段噴射の燃料（低温着火可能燃料）の燃焼波形を破線アで示す。一方、酸素ラジカルの気筒１内濃度がゼロのときに噴射された燃料（後段噴射の燃料）は、酸素ラジカルとの反応が起こらず、着火限界温度が低下しない結果、筒内温度が相対的に高くなった段階で自着火して燃焼する。図５において、後段噴射の燃料（高温着火燃料）の燃焼波形を鎖線イで示す。そのため、例えばガソリンと軽油のように複数種類の異なる性状の燃料を混合したマルチフューエルを噴射した場合のように、気筒１内に噴射された燃料が二段階に分かれて着火燃焼することになり、一度に燃料の全量が着火燃焼する場合に比べて、前段噴射の燃料の燃焼（図５の破線ア）と後段噴射の燃料の燃焼（図５の鎖線イ）との合計である全体の燃焼（図５の実線）が緩慢になって、急激な圧力上昇が抑制される。そのため、大きな燃焼エネルギーが短期間で発生することが回避でき、燃焼に伴う振動や騒音のレベルを効果的に低減することができる。これにより、大きな振動や騒音を伴わない適正なＨＣＣＩ燃焼が可能な運転領域を大幅に拡大することができ、エンジンの熱効率を効果的に向上させることができる。
【０１０２】
要すれば、上記実施形態では、相対的に負荷の低い中負荷域Ｂにおいては、ＥＧＲガス量とオゾン量との調節により熱発生パターン（着火時期、燃焼期間）を制御してＨＣＣＩ燃焼を緩慢化し、相対的に負荷の高い高負荷域Ｃにおいては、酸素ラジカルが消失する前後の燃料噴射（前段噴射、後段噴射）の割合の調節により熱発生パターン（着火時期、燃焼期間）を制御してＨＣＣＩ燃焼を緩慢化している。そして、それによって、それぞれ優れたＮＶＨ性能を確保している。
【０１０３】
上記実施形態では、ＥＣＵ３０は、エンジン負荷が上記第２基準負荷未満の低負荷域Ａにおいて、高回転域およびアイドル域でオゾン供給量が増加するように、プラズマリアクタ１１を駆動する（ステップＳ１６〜Ｓ１７）。
【０１０４】
上記実施形態では、中負荷域Ｂよりも低負荷側の低負荷域Ａにおいて、低温酸化反応を促進する作用のあるオゾンの供給量を高回転域およびアイドル域で増やすことで、３つの領域Ａ，Ｂ，Ｃのうち燃料噴射量が最も少ない低負荷域Ａにおいて、高回転域での受熱時間不足ないし反応時間不足に伴う着火性の低下ひいては失火、およびアイドル域での筒内温度低下に伴う着火性の低下ひいては失火が抑制される。
【０１０５】
上記実施形態では、エンジン回転速度が高いほど混合気の着火時期が早くなり、且つエンジン負荷が高いほど混合気の燃焼期間が長くなるように、中負荷域ＢではＥＧＲガス供給量およびオゾン供給量を調節し、高負荷域Ｃでは前段噴射の燃料噴射量と後段噴射の燃料噴射量との割合を調節する。
【０１０６】
上記実施形態では、エンジン回転速度が高いほど混合気の着火時期が早められるので、膨張行程時のピストン４の下降速度が速くなる高回転域で、失火が起きるのを確実に防止することができる。また、エンジン負荷が高いほど混合気の燃焼期間が長くされるので、大きな燃焼エネルギーが短期間で発生することを回避でき、燃焼に伴う振動や騒音のレベルを効果的に低減することができる。
【０１０７】
上記実施形態では、空気過剰率λが、低負荷域Ａでは３を超えて大きく、中負荷域Ｂでは２．２以上３以下であり、高負荷域Ｃでは１である。
【０１０８】
上記実施形態では、低負荷域Ａおよび中負荷域ＢではＮＯｘの生成が抑えられることにより、高負荷域Ｃでは三元触媒で排気ガスが浄化されることにより、いずれもＮＯｘの排出が良好に抑制される。
【０１０９】
上記実施形態では、中負荷域Ｂにおいて、エンジン回転速度が高いほどオゾンの供給量が増加するように上記プラズマリアクタ１１が駆動される。このように、中負荷域Ｂで、低温酸化反応を促進する作用のあるオゾンの供給量を高回転側ほど増やすようにした場合には、高回転域での着火時期を早めて失火を確実に防止することができる。
【０１１０】
上記実施形態では、中負荷域Ｂにおいて、エンジン負荷が高いほどＥＧＲガスの供給量が増加するようにＥＧＲ弁２２が駆動される。このように、中負荷域Ｂで、燃焼を緩慢化させる作用のあるＥＧＲガスの供給量を高負荷側ほど増やすようにした場合には、高負荷域での燃焼期間を長期化させて振動や騒音を確実に低減することができる。
【０１１１】
上記実施形態では、高負荷域Ｃにおいて、図５に示したように、酸素ラジカルの気筒１内濃度がゼロでないときとゼロのときとに亘って前段噴射と後段噴射とが連続して行われるように、インジェクタ１０およびプラズマリアクタ１１が駆動される（ステップＳ３３，Ｓ３６〜Ｓ３７）。この場合、気筒１内への燃料噴射回数が１回で済むという利点がある。
【０１１２】
一方、高負荷域Ｃにおいて、酸素ラジカルの気筒１内濃度がゼロでないときとゼロのときとに前段噴射と後段噴射とが所定の時間的間隔を空けて（すなわち分割して）行われるように、インジェクタ１０およびプラズマリアクタ１１が駆動された場合は、燃料の一部を酸素ラジカルと反応して相対的に早い段階で自着火燃焼する着火性の良い燃料（低温着火可能燃料）とし、残りの部分を酸素ラジカルと反応せずに相対的に遅い段階で自着火燃焼する着火性の悪い燃料（高温着火燃料）とすることが確実に行えるという利点がある。
【０１１３】
上記実施形態では、高負荷域Ｃにおいて、エンジン負荷が高いほど燃料噴射量が増加するように（ステップＳ３３参照）、ステップＳ３７でインジェクタ１０が駆動されている。なお、その際、空気過剰率λが１となるように、例えば、ＥＧＲ量、スロットル弁、あるいは吸排気バルブタイミングを調節することにより、吸入空気量が制御される。また、その際、エンジン負荷が高いほど、酸素ラジカルの気筒１内濃度がゼロのときに噴射される燃料の比率、つまり燃料噴射量の総量に占める後段噴射量（後段噴射された燃料の量、つまり後段噴射の燃料噴射量）の比率が増大するように、ステップＳ３７でインジェクタ１０およびプラズマリアクタ１１を駆動することが好ましい。具体的には、例えば図５に示した酸素ラジカルの消失時期が前段噴射の開始時期と後段噴射の終了時期との間で相対的に早い時期に位置するように、低温酸化反応開始時における気筒１内の酸素ラジカル濃度、ひいてはプラズマリアクタ１１によるオゾン供給時の気筒１内のオゾン濃度を制御する。これにより、他の領域Ａ，Ｂに比べて燃料噴射量が多い高負荷域Ｃで燃料噴射量が増加するときは、酸素ラジカルと反応せずに着火性に劣る燃料（高温着火燃料）の比率が増大するから、燃焼がより緩慢となり、たとえ燃料噴射量が増加しても、過度な圧力上昇が抑制される。
【０１１４】
なお、上記実施形態では、エンジンの気筒１内に直接プラズマを放出し得る位置にプラズマリアクタ１１を設けたが、プラズマリアクタ１１は、プラズマの放出に伴い生じるオゾンを気筒１内に供給できるものであればよく、例えば、吸気ポート１２に向けてプラズマを放出するものであってもよい。
【０１１５】
また、上記実施形態では、プラズマの放出によってオゾンを供給するプラズマリアクタ１１をオゾン供給手段として設けたが、オゾン供給手段は、オゾンを供給できるものであればよく、必ずしもプラズマを用いたものに限られない。
【０１１６】
また、上記実施形態では、酸素ラジカルの気筒１内濃度がゼロでないとき（酸素ラジカルの消失前）に行う燃料噴射を前段噴射、酸素ラジカルの気筒１内濃度がゼロのとき（酸素ラジカルの消失後）に行う燃料噴射を後段噴射としたが、必ずしも酸素ラジカルの消失時期を前段噴射と後段噴射との区分の基準とする必要はなく、緩慢燃焼が生じるほどに前段噴射された燃料の着火可能温度と後段噴射された燃料の着火可能温度とが相違する限り、一般に、酸素ラジカルの気筒１内濃度が所定値以上のときに行う燃料噴射を前段噴射、酸素ラジカルの気筒１内濃度が所定値未満のときに行う燃料噴射を後段噴射とすることができる。ここでいう「所定値」とは、酸素ラジカルが実質的に消失したといえる酸素ラジカルの気筒１内濃度の所定値であり、着火限界温度が低下するほどには燃料を活性化させることができない量しか酸素ラジカルが気筒１内に存在していない状態である。
【０１１７】
また、上記実施形態では、酸素ラジカルの消失時期の前後に亘って前段噴射と後段噴射とを連続して行ったが、前段噴射と後段噴射とを分割して行ってもよい。その場合は、酸素ラジカルの消失時期を挟んで前段噴射と後段噴射との間に所定の時間的間隔を空けるようにすればよい。
【符号の説明】
【０１１８】
１    気筒
１０  インジェクタ（燃料噴射手段）
１１  プラズマリアクタ（オゾン供給手段）
１８  吸気通路
１９  排気通路
２０  ＥＧＲ通路
２２  ＥＧＲ弁（ＥＧＲ量調節手段）
３０  ＥＣＵ（制御手段）
Ａ    低負荷域（第３領域）
Ｂ    中負荷域（第１領域）
Ｃ    高負荷域（第２領域）
【図１】
2014025374.tif 000003
【図２】
2014025374.tif 000004
【図３】
2014025374.tif 000005
【図４】
2014025374.tif 000006
【図５】
2014025374.tif 000007
【図６】
2014025374.tif 000008